(57)【要約】【課題】  仮想チャンネルの割り当てに変更があった場合でも使用者が変更操作をすることなく録画予約どおりのチャンネルが録画が行えるようにする。【解決手段】  確認部Ｐ２は録画開始時刻の１０秒前にて実際に受信されている放送信号の仮想チャンネルと、録画予約にて指定された仮想チャンネルの一致性を確認している。そして、仮想チャンネルが一致しない場合には、検索部Ｐ３が録画予約にて指定された仮想チャンネルが受信可能な物理チャンネルを検索し、録画部Ｐ５が検索された物理チャンネルにて録画を行うようにしている。このようにすることにより、選局データ２８ｄ１にて物理チャンネルと仮想チャンネルとの対応関係が作成されたとき、すなわち最後にチャンネルプリセットを行ったときから、録画開始時刻の１０秒前までに当該仮想チャンネルが放送される搬送周波数帯域が変更された場合でも、使用者が指定した仮想チャンネルの録画を行うことができる。【選択図】  図５
2007104126.tif 000002
【特許請求の範囲】
【請求項１】
チューナが選局する搬送周波数に対応する物理チャンネルと、録画予約の際に指定される仮想チャンネルとの対応関係を規定したチャンネル対応テーブルと、
上記チャンネル対応テーブルを参照して上記録画予約にて指定された上記仮想チャンネルに対応する上記物理チャンネルを特定する特定手段と、
上記特定手段にて特定された上記物理チャンネルを上記チューナにて選局させて録画を行う録画手段とを具備するデジタルビデオレコーダにおいて、
上記録画手段が録画を開始した直後と、上記録画手段が録画を行っている際の一定期間ごとと、上記録画手段が録画を行っている番組の切り替わり時に、上記チューナが選局している上記仮想チャンネルが上記録画予約にて指定された上記仮想チャンネルと一致しているかどうかを確認する確認手段と、
上記確認手段にて、上記チューナが選局している上記仮想チャンネルが上記録画予約にて指定された上記仮想チャンネルと一致していないことが確認されたとき、上記録画予約にて指定された上記仮想チャンネルが受信可能な上記物理チャンネルを検索する検索手段と、
上記検索手段が上記録画予約にて指定された上記仮想チャンネルが受信可能な上記物理チャンネルを検索し、上記録画手段が上記検索手段にて検索された上記物理チャンネルを上記チューナにて選局させるまでの間、上記録画予約にて指定された上記仮想チャンネルの検索中である旨が表示された映像データを上記録画手段にて録画させるとともに、記録媒体の消費を低減させるように録画の品質を低下させる中継手段とを具備するとともに、
上記録画手段は、上記録画予約にて指定された上記仮想チャンネルが受信可能な上記物理チャンネルが検索されたとき上記検索手段にて検索された上記物理チャンネルを上記チューナにて選局させて録画を行い、上記録画予約にて指定された上記仮想チャンネルが受信可能な上記物理チャンネルが検索されないとき上記チャンネル対応テーブルを参照して特定した上記物理チャンネルを上記チューナにて選局させて録画を行うことを特徴とするデジタルビデオレコーダ。
【請求項２】
チューナが選局する搬送周波数に対応する物理チャンネルと、録画予約の際に指定される仮想チャンネルとの対応関係を規定したチャンネル対応テーブルと、
上記チャンネル対応テーブルを参照して上記録画予約にて指定された上記仮想チャンネルに対応する上記物理チャンネルを特定する特定手段と、
上記特定手段にて特定された上記物理チャンネルを上記チューナにて選局させて録画を行う録画手段とを具備するデジタル放送録画装置において、
上記録画手段が録画を行っているときに、上記チューナが選局している上記仮想チャンネルが上記録画予約にて指定された上記仮想チャンネルと一致しているかどうかを確認する確認手段と、
上記確認手段にて、上記チューナが選局している上記仮想チャンネルが上記録画予約にて指定された上記仮想チャンネルと一致していないことが確認されたとき、上記録画予約にて指定された上記仮想チャンネルが受信可能な上記物理チャンネルを検索する検索手段とを具備するとともに、
上記録画手段は、上記検索手段にて検索された上記物理チャンネルを上記チューナにて選局させて録画を行うことを特徴とするデジタル放送録画装置。
【請求項３】
上記確認手段は、
上記録画手段が録画を開始した直後に上記仮想チャンネルの一致性を確認することを特徴とする請求項２に記載のデジタル放送録画装置。
【請求項４】
上記確認手段は、
上記録画手段が録画を行っている際の一定期間ごとに上記仮想チャンネルの一致性を確認することを特徴とする請求項２または請求項３のいずれかに記載のデジタル放送録画装置。
【請求項５】
上記確認手段は、
上記録画手段が録画を行っている番組の切り替わり時に上記仮想チャンネルの一致性を確認することを特徴とする請求項２から請求項４のいずれかに記載のデジタル放送録画装置。
【請求項６】
上記検索手段が上記録画予約にて指定された上記仮想チャンネルが受信可能な上記物理チャンネルを検索し、上記録画手段が上記検索手段にて検索された上記物理チャンネルを上記チューナにて選局させるまでの間、上記録画手段における録画状態を変更する中継手段を具備することを特徴とする請求項２から請求項５のいずれかに記載のデジタル放送録画装置。
【請求項７】
上記中継手段は、予め記憶しておいた映像データを上記録画手段にて録画させることを特徴とする請求項６に記載のデジタル放送録画装置。
【請求項８】
上記映像データにおいては、上記録画予約にて指定された上記仮想チャンネルの検索中である旨が表示されることを特徴とする請求項７に記載のデジタル放送録画装置。
【請求項９】
上記中継手段は、予め記憶しておいた映像データを上記録画手段にて録画させる際に、記録媒体の消費を低減させるように録画の品質を低下させることを特徴とする請求項７または請求項８のいずれかに記載のデジタル放送録画装置。
【請求項１０】
上記録画手段は、上記録画予約にて指定された上記仮想チャンネルが受信可能な上記物理チャンネルが上記検索手段にて検索されないとき、上記チャンネル対応テーブルを参照して特定した上記物理チャンネルを上記チューナにて選局させて録画を行うことを特徴とする請求項２から請求項９のいずれかに記載のデジタル放送録画装置。
【発明の詳細な説明】
【技術分野】
【０００１】
本発明は、デジタルビデオレコーダおよびデジタル放送録画装置に関する。
【背景技術】
【０００２】
従来、この種のデジタルテレビジョンとして、あるチャンネルの受信中において、仮想チャンネルの割り当てに変更があった場合に、その変更を通知する画面を表示させるものが知られている（例えば、特許文献１、参照。）。
かかる構成によれば、変更を通知する画面によって使用者が仮想チャンネルの割り当てに変更があったことを知ることができるため、使用者は所望の仮想チャンネルが受信できるように操作することが可能であった。
【特許文献１】特開２００２−３５４３５３号公報
【発明の開示】
【発明が解決しようとする課題】
【０００３】
しかしながら、デジタル放送録画装置において録画予約する場合には、使用者が不在であることが多いため、仮想チャンネルの割り当てに変更があった場合でも、最初に録画予約した仮想チャンネルが割り当てられていた物理チャンネルのまま録画されるという問題があった。
本発明は、上記課題にかんがみてなされたもので、仮想チャンネルの割り当てに変更があった場合でも使用者が変更操作をすることなく録画予約どおりのチャンネルが録画可能なデジタルビデオレコーダおよびデジタル放送録画装置の提供を目的とする。
【課題を解決するための手段】
【０００４】
上記課題を解決するために請求項２にかかる発明では、チューナが選局する搬送周波数に対応する物理チャンネルと、録画予約の際に指定される仮想チャンネルとの対応関係を規定したチャンネル対応テーブルと、上記チャンネル対応テーブルを参照して上記録画予約にて指定された上記仮想チャンネルに対応する上記物理チャンネルを特定する特定手段と、上記特定手段にて特定された上記物理チャンネルを上記チューナにて選局させて録画を行う録画手段とを具備するデジタル放送録画装置において、
上記録画手段が録画を行っているときに、上記チューナが選局している上記仮想チャンネルが上記録画予約にて指定された上記仮想チャンネルと一致しているかどうかを確認する確認手段と、上記確認手段にて、上記チューナが選局している上記仮想チャンネルが上記録画予約にて指定された上記仮想チャンネルと一致していないことが確認されたとき、上記録画予約にて指定された上記仮想チャンネルが受信可能な上記物理チャンネルを検索する検索手段とを具備するとともに、上記録画手段は、上記検索手段にて検索された上記物理チャンネルを上記チューナにて選局させて録画を行う構成としてある。
【０００５】
上記のように構成した請求項２の発明において、デジタル放送録画装置が扱うチャンネルには、チューナが選局する搬送周波数に対応する物理チャンネルと、録画予約の際に指定される仮想チャンネルとがある。物理チャンネルは搬送周波数と一体不可分の関係にあり、物理チャンネルと搬送周波数との対応関係が変更されることはない。一方、仮想チャンネルは使用者が扱うチャンネルであり、録画予約の際にも仮想チャンネルで録画するチャンネルが指定される。上記物理チャンネルと上記仮想チャンネルとの対応関係を規定したチャンネル対応テーブルを備えることにより、上記仮想チャンネルから対応する上記物理チャンネルを特定し、さらに同特定された物理チャンネルに対応する搬送周波数を特定することができる。従って、特定手段では上記チャンネル対応テーブルを参照して上記録画予約にて指定された上記仮想チャンネルに対応する上記物理チャンネルを特定することができ、録画手段においては同特定手段にて特定された同物理チャンネルを上記チューナにて選局させて録画を行うことができる。すなわち、使用者が録画予約した上記仮想チャンネルについて録画を行うことができる。
【０００６】
確認手段は上記録画手段が録画を行っているときに、上記チューナが選局している上記仮想チャンネルが上記録画予約にて指定された上記仮想チャンネルと一致しているかどうかを確認する。すなわち、上記確認手段は、上記録画予約を行った際と、実際に録画を行う際とで、上記録画予約にて指定された上記仮想チャンネルに対する上記物理チャンネルの割り当てが変更されていないかどうかを確認する。そして、検索手段は、上記確認手段が上記チューナの選局している上記仮想チャンネルが上記録画予約にて指定された上記仮想チャンネルと一致していないと判定したとき、上記録画予約にて指定された上記仮想チャンネルが受信可能な上記物理チャンネルを検索する。さらに、上記録画手段は、上記検索手段にて検索された上記物理チャンネルを上記チューナにて選局させて録画を行うため、上記録画予約において指定された上記仮想チャンネルを録画することができる。
【発明の効果】
【０００７】
以上説明したように請求項１および請求項２の発明によれば、仮想チャンネルの割り当てに変更があった場合でも使用者が変更操作をすることなく録画予約どおりのチャンネルが録画可能なデジタルビデオレコーダおよびデジタル放送録画装置を提供することができる。
請求項３の発明によれば、録画開始の直前に仮想チャンネルの割り当てが変更されても追従することができる。
請求項４の発明によれば、定期的に仮想チャンネルの変更を監視することができる。
【０００８】
請求項５の発明によれば、仮想チャンネルの割り当てが変更される可能性の高い、番組切り替わり時に仮想チャンネルの変更を監視することができる。
請求項６の発明によれば、チャンネル検索時に無駄な映像が録画されないようにすることができる。
請求項７の発明によれば、乱れた映像が録画されないようにすることができる。
請求項８の発明によれば、故障でないことを使用者に知らせることができる。
請求項９の発明によれば、チャンネル検索時に消費される記録媒体の記憶容量を抑えることができる。
請求項１０の発明によれば、適正な物理チャンネルが検索できない場合には、チャンネル対応テーブルに基づく物理チャンネルで録画を行うことができる。
【発明を実施するための最良の形態】
【０００９】
ここでは、下記の順序に従って本発明の実施形態について説明する。
（１）デジタル放送録画装置の構成：
（２）録画処理：
（３）まとめ：
【００１０】
（１）ビデオレコーダの構成：
図１は、本発明の一実施形態にかかるデジタルビデオレコーダおよびデジタル放送録画装置としてのビデオレコーダの内部構成を概念的に示している。同図において、ビデオレコーダ２０は、アンテナ１０から放送信号を入力するチューナ２２を備えている。チューナ２２は、ＣＰＵ２８ａから選局を行う搬送周波数を指定する選局信号を受け付けており、同選局信号にて指定された搬送周波数を設定することにより、所望の搬送周波数帯域の放送信号を抽出することができる。
【００１１】
ＣＰＵ２８ａはバス２９に接続されており、バス２９に接続されたＲＡＭ２８ｂをワークエリアとしながら、当該ビデオレコーダ２０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能なＥＥＰＲＯＭ２８ｄが備えられており、ＣＰＵ２８ａはＥＥＰＲＯＭ２８ｄに記憶された各種データを使用して制御処理を実行する。
【００１２】
具体的には、ＥＥＰＲＯＭ２８ｄに選局データ２８ｄ１とＯＳＤデータ２８ｄ２と予約データ２８ｄ３が記憶される。選局データ２８ｄ１には、上述した搬送周波数と物理チャンネルとの対応関係と、この物理チャンネルと仮想チャンネルの対応関係が格納されている。図２は、選局データ２８ｄ１を表にして示している。同図において、選局データ２８ｄ１においては、搬送周波数と物理チャンネルとの対応関係が定義されており、物理チャンネルの番号は搬送周波数の昇順に連続した整数が割り当てられている。一方、各物理チャンネルについて受信可能である旨のフラグを付与することが可能となっており、受信可能である旨のフラグが付与された物理チャンネルについては仮想チャンネルの番号が割り当てられている。予め全物理チャンネルを順に選局し、受信可能な物理チャンネルを検索するオートプリセットが行われており、その結果、受信された物理チャンネルについては受信可能である旨のフラグが付与される。また、オートプリセットの際に受信されたデジタル放送信号に含まれる仮想チャンネル番号についての情報をＳＤＴ（Service Description Table）から取得し、同取得した情報に基づいて仮想チャンネルの番号が当該放送信号が受信された物理チャンネルに対応づけられる。
【００１３】
この仮想チャンネルの番号は、各放送局等の取り決めに依存しているため、連続する整数でなく、規則性がない。また、仮想チャンネルが受信できる物理チャンネル（搬送周波数）は、常に一定ではなく、時間によって変動する。例えば、仮想チャンネルの１１ｃｈが、昨日まで物理チャンネルの３ｃｈにて受信できたのに、今日からは物理チャンネルの３０ｃｈにて受信できるといったことが発生する。新聞等に掲載される番組表には仮想チャンネルのみが記載されており、使用者は仮想チャンネルを指定することにより所望の番組の視聴や録画を行う。なお、一の搬送周波数帯域において複数の仮想チャンネルが多重化されて放送される場合があるため、一の物理チャンネルに対して複数の仮想チャンネルが対応する場合がある。なお、選局データ２８ｄ１において物理チャンネルと仮想チャンネルとの対応関係を示す部分が本発明のチャンネル対応テーブルに相当する。
【００１４】
選局データ２８ｄ１を参照することにより、所望の仮想チャンネルを指定すると、同仮想チャンネルに対応する物理チャンネルが特定され、さらに同物理チャンネルに対応する搬送周波数を特定することができる。従って、リモコン４０にて受信すべき仮想チャンネルの番号が指定された場合には、同仮想チャンネルが受信可能な搬送周波数帯域の放送信号をチューナ２２にて受信させることができる。
【００１５】
チューナ２２の出力は、デジタル再生回路２３に供給される。すなわち、ビデオレコーダ２０は、デジタル放送を再生することが可能となっている。デジタル再生回路２３は、デジタルＩ／Ｆ２３ａと復調回路２３ｂとデ・スクランブル部２３ｃとデ・マルチプレックス部２３ｄとＭＰＥＧデコーダ２３ｇとから構成されている。チューナ２２から放送信号が入力されるデジタルＩ／Ｆ２３ａにはＡ／Ｄコンバータが備えられており、このデジタルＩ／Ｆ２３ａから信号の供給を受ける復調部には、チャンネルイコライザ、エラー訂正デコード部等も備えられている。
【００１６】
すなわち、デジタルＩ／Ｆ２３ａと復調回路２３ｂは、チューナ２２から入力される放送信号をデジタル信号に変換するとともに、ＣＰＵ２８ａからの制御情報に基づいてデジタル復調した信号に対していわゆるゴーストキャンセルを行う。さらに、デジタルＩ／Ｆ２３ａと復調回路２３ｂは、伝送路上で発生したビット誤りを訂正し、トランスポートストリーム（ＴＳ）出力を得る。
【００１７】
また、復調回路２３ｂにて復調およびエラー訂正処理を行うことにより得られたトランスポートストリームはデ・スクランブル部２３ｃに供給される。トランスポートストリームは、通常、スクランブルがかかっているため、このままでは適正に映像・音声を再生することはできない。そこで、デ・スクランブル部２３ｃがトランスポートストリームに対してデ・スクランブル処理を行うことにより、トランスポートストリームを再生可能なデータ配列に復元する。デ・スクランブル処理が行われたトランスポートストリームは、映像信号や音声信号や文字情報等が多重化された形式となっており、デ・マルチプレックス部２３ｄに供給される。デ・マルチプレックス部２３ｄでは入力されたデータに対してデ・マルチプレックス処理を行う。すなわち、ここで多重化が解除される。このとき、トランスポートストリームに含まれたＳＤＴを解析することにより、現在受信中の放送信号の仮想チャンネルの番号や名前を取得することができる。なお、デ・スクランブル部２３ｃとデ・マルチプレックス部２３ｄとはそれぞれの処理を行う際にワークエリアとしてＤＲＡＭ２３ｅを利用することが可能である。
【００１８】
デ・マルチプレックス処理にて多重化が解除されると、単一の周波数帯において複数のチャンネルのＭＰＥＧデータが多重化されて搬送される多重化チャンネルについても多重化を解除される。ＭＰＥＧデータはＭＰＥＧデコーダ２３ｇに供給され、同ＭＰＥＧデコーダ２３ｇにて圧縮解凍処理、つまりＭＰＥＧデコード処理が行われる。ＭＰＥＧデータをＭＰＥＧデコード処理することにより、デジタル映像信号とデジタル音声信号とが生成され、同生成されたデジタル映像信号はさらにアナログの映像信号に変換される。
【００１９】
ＭＰＥＧデコーダ２３ｇはＯＳＤ処理部２３ｈを備えており、出力中や録画中の映像に予めＥＥＰＲＯＭ２８ｄに記憶されたＯＳＤデータ２８ｄ２が示す映像を重ねて表示したり、差し替えて表示するなどの処理を行うことができる。ＭＰＥＧデコーダ２３ｇはＭＰＥＧデコード処理やＯＳＤ処理を行う際にワークエリアとしてＤＲＡＭ２３ｆを利用することが可能である。このように、ＭＰＥＧデコーダ２３ｇは圧縮解凍処理を実行可能であるとともに、ＯＳＤ処理部２３ｈにてグラフィックス処理を実行可能になっている。そして、圧縮解凍・アナログ変換された映像信号は映像出力部２６に供給され、同映像出力部２６にて同映像信号が外部のテレビジョン３０に出力される。テレビジョン３０に対してアナログ映像信号を出力する方式としては、コンポジット出力やＳーＶｉｄｅｏ出力等の各種方式を採用することができる。一方、ＭＰＥＧデコード処理により生成された音声信号は、音声出力部２７に入力され、同音声出力部２７から外部のテレビジョン３０に出力される。
【００２０】
また、ＭＰＥＧデコーダ２３ｇで生成された映像信号と音声信号は、ビデオユニット２４に備えられた変換部２４ｃにも入力される。変換部２４ｃは入力した映像信号と音声信号ヘッド２４ｂに出力可能な形式に変換する。ヘッド２４ｂは、入力した映像信号と音声信号をビデオテープに磁気的に記録する。ヘッド２４ｂが記憶するのに同期してモータ等のテープ駆動系２４ａがビデオテープを駆動させ、ヘッド２４ｂに新たな記録面を供給するため、ビデオテープの長さに応じた時間だけ映像と音声を録画することができる。なお、テープ駆動系２４ａはＣＰＵ２８ａの指令に基づきビデオテープの駆動速度を切り換えることができ、低速側に切り換えることにより記録時間を長くすることができる。
【００２１】
ＥＥＰＲＯＭ２８ｄには予約データ２８ｄ３が記憶されており、同予約データ２８ｄ３に基づいて録画が行われる。図３は、予約データ２８ｄ３の内容を示している。同図において、予約データ２８ｄ３には、各録画予約について録画する時間と録画する仮想チャンネルと録画モードとが指定されている。ＣＰＵ２８ａは、タイマ２８ｆから現在の時刻と、予約データ２８ｄ３の各録画予約について録画開始時間を取得する。そして、タイマ２８ｆから録画開始時刻の１０秒前の時刻が計測されたとき、各部に電源を供給するとともに、チューナ２２にて予約データ２８ｄ３にて指定された仮想チャンネルの選局を開始する。
【００２２】
具体的には、予約データ２８ｄ３にて指定された仮想チャンネルに対応する物理チャンネルを選局データ２８ｄ１から取得し、同物理チャンネルに対応する搬送周波数をチューナ２２に設定させ、デジタル再生回路２３を起動する。そして、タイマ２８ｆが録画開始時間を計測すると、テープ駆動系２４ａとヘッド２４ｂを駆動させ、ビデオテープへの記録を開始させる。タイマ２８ｆが録画終了時間を計測すると、チューナ２２とデジタル再生回路２３とテープ駆動系２４ａとヘッド２４ｂを停止させ、録画を終了させる。
【００２３】
なお、ヘッド２４ｂは、ビデオテープに記憶された音声信号と映像信号を磁気的に読み出して、電気信号を生成することができる。そして、この電気信号を変換部２４ｃに入力することにより、テレビジョン３０に出力可能な映像信号と音声信号が生成でき、ビデオテープに記録された映像や音声をテレビジョン３０にて再生することができる。ビデオテープに記録された映像や音声をテレビジョン３０にて再生する場合においても、テープ駆動系２４ａがビデオテープを駆動させるため、順次記録された映像や音声を再生することができる。
【００２４】
上述したＣＰＵ２８ａはバス２９に接続されており、バス２９に接続されたＲＡＭ２８ｂをワークエリアとしながら、当該ビデオレコーダ２０の各種機能を実現するための制御処理を実行する。この制御処理を実行するプログラムは、予めＲＯＭ２８ｃに格納されており、ＣＰＵ２８ａは、適宜ＲＯＭ２８ｃから所定のプログラムをＲＡＭ２８ｂに読み込みつつ制御処理を実行することになる。また、バス２９には書き換え可能なＥＥＰＲＯＭ２８ｄが備えられており、ＣＰＵ２８ａはＥＥＰＲＯＭ２８ｄに記憶された各種データ２８ｄ１，２８ｄ２，２８ｄ３を使用して制御処理を実行する。
【００２５】
図４は、ＣＰＵ２８ａおよびＲＡＭ２８ｂにて実行される制御プログラムの構成を模式的に示している。同図において、制御プログラムＰは特定部Ｐ１と確認部Ｐ２と検索部Ｐ３と中継部Ｐ４と録画部Ｐ５の各モジュールから構成されている。特定部Ｐ１は、予約データ２８ｄ３を取得し、録画予約にて指定された仮想チャンネルの番号を取得する。そして、特定部Ｐ１は、選局データ２８ｄ１を参照することにより、当該仮想チャンネルが受信可能な物理チャンネルを特定する。特定された物理チャンネルの搬送周波数がチューナ２２にて選局される。
【００２６】
確認部Ｐ２は、予約データ２８ｄ３を取得し、録画予約にて指定された仮想チャンネルの番号を取得する。それと同時に、確認部Ｐ２はチューナ２２にて選局されている放送信号から同放送信号の仮想チャンネルの番号を取得する。そして、双方の仮想チャンネルの番号の一致性を確認する。デジタル放送においては、放送したデータに仮想チャンネルの番号や名前等を示すＳＤＴが含まれているため、確認部Ｐ２は同ＳＤＴを解析することにより仮想チャンネルの番号を取得することができる。
【００２７】
検索部Ｐ３は、確認部Ｐ３において仮想チャンネルの一致性が確認できなかったとき、予約データ２８ｄ３にて指定された仮想チャンネルが受信可能な物理チャンネルの検索を行う。具体的には、チューナ２２に物理チャンネルを１ｃｈから順に選局させ、各物理チャンネルにおいて放送信号が受信できたかどうかを判定する。そして、放送信号が受信できた場合、その放送信号から得られたＳＤＴを解析し、同放送信号の仮想チャンネル番号を取得する。そして、受信された放送信号の仮想チャンネル番号が予約データ２８ｄ３にて指定された仮想チャンネル番号と一致する物理チャンネルを検索する。
【００２８】
中継部Ｐ４は、検索部Ｐ３が検索を開始すると同時に、ＯＳＤデータ２８ｄ２を取得し、同ＯＳＤデータ２８ｄ２をＭＰＥＧデコーダ２３ｇのＯＳＤ処理部２３ｈに出力する。ＯＳＤ処理部２３ｈは、チューナ２２から入力された映像信号と差し替えて、ＯＳＤデータ２８ｄ２をビデオユニット２４の変換部２４ｃを介してヘッド２４ｂに出力する。従って、ビデオテープにはＯＳＤデータ２８ｄ２に基づく映像が録画されることとなる。また、中継部Ｐ４は、検索部Ｐ３が検索を開始すると同時に、ビデオユニット２４のテープ駆動系２４ａとヘッド２４ｂと変換部２４ｃに対して６倍で録画を行うように指令を出す。６倍で録画を行うと、テープ駆動系２４ａは１／６の速度でビデオテープを駆動させることとなり、録画の画質は低下するものの、単位時間当たりのビデオテープの記憶量は抑えられる。
【００２９】
録画部Ｐ５は、特定部Ｐ１にて特定された物理チャンネル、または、検索部Ｐ３にて検索された物理チャンネルのいずれかをチューナ２２にて選局させ、選局して得られた放送信号をデジタル再生回路２３にて再生した映像や音声をビデオユニット２４にて録画する。また、予約データ２８ｄ３にて指定された録画終了時刻が経過すると、録画を停止させる。
【００３０】
（２）録画処理：
図５は、録画処理の流れを示している。同図において、ステップＳ１００では、予約データ２８ｄ３に記憶された予約開始時刻と、タイマ２８ｆから現在の時刻を取得し、予約された録画開始時刻の１０秒前となっているかどうかを判断する。予約された録画開始時刻の１０秒前となっていない場合には、ステップＳ１０５にて待機し、再度、ステップＳ１００にて予約された録画開始時刻の１０秒前となっているかどうかを判断する処理を繰り返す。一方、予約された録画開始時刻の１０秒前となった場合には、ステップＳ１１０にて、録画開始時刻の１０秒前となっている録画予約にて指定された仮想チャンネルを特定部Ｐ１が取得し、同仮想チャンネルに対応する物理チャンネルを選局データ２８ｄ１を参照し、特定する。
【００３１】
ステップＳ１１５では、録画部Ｐ５が特定された物理チャンネルの搬送周波数をチューナ２２に設定する。デジタル再生回路２３は、チューナ２２にて受信された放送信号を取得し、映像信号や音声信号の復元を開始させる。このように、予約された録画開始時刻の１０秒前から予めチューナ２２やデジタル再生回路２３を立ち上げておくことにより、録画開始時刻ちょうどに録画を開始させることができる。ただし、予約された録画開始時刻が経過する前に、ステップＳ１２０にて確認部Ｐ２が仮想チャンネルの確認を行う。具体的には、デジタル再生回路２３にて放送信号から映像信号や音声信号の復元させる際に、トランポートストリームからＳＤＴを取得し、同ＳＤＴに格納された仮想チャンネルの番号を取得する。そして、同取得した仮想チャンネルの番号と、当該録画予約にて指定されている仮想チャンネルの番号との比較を行い、その一致性を確認する。
【００３２】
仮想チャンネルの番号が一致する場合には、ステップＳ１４５にて当該録画予約にて指定された録画開始時刻になったかどうかが判定される。そして、予約された録画開始時刻となってない場合には、ステップＳ１５０にて待機し、再度、ステップＳ１４５にて予約された録画開始時刻となっているかどうかを判断する処理を繰り返す。すなわち、チューナ２２やデジタル再生回路２３を立ち上げた状態にて、録画開始時刻の経過まで待機する。一方、仮想チャンネルの番号が一致しない場合には、ステップＳ１２５にて検索部Ｐ３が、当該録画予約にて指定されている仮想チャンネルの検索を行う。具体的には、チューナ２２に物理チャンネルを１ｃｈから順に選局させ、各物理チャンネルにおいて放送信号が受信できたかどうかを判定する。そして、放送信号が受信できた場合、その放送信号から得られたＳＤＴを解析し、同放送信号の仮想チャンネル番号を取得する。そして、受信された放送信号の仮想チャンネル番号が予約データ２８ｄ３にて指定された当該録画予約の仮想チャンネルの番号と一致する物理チャンネルを検索する。なお、各物理チャンネルにおいて複数の仮想チャンネルが多重化されて放送されている場合があるため、このようなサブチャンネルについても一致する仮想チャンネルを検索する。
【００３３】
ステップＳ１３０においては、上記チャンネル検索において、当該録画予約の仮想チャンネル番号と一致する物理チャンネルが検索できたかどうかが判定され、検索できた場合には録画部Ｐ５がステップＳ１３５にて検索された物理チャンネルの選局をチューナ２２にて開始させる。一方、検索できなかった場合には録画部Ｐ５がステップＳ１４０にてステップＳ１１０で特定した物理チャンネルの選局をチューナ２２にて開始させる。これに伴い、デジタル再生回路２３も映像信号や音声信号の復元を再び開始させる。ステップＳ１３５またはステップＳ１４０にてチューナ２２が選局を開始すると、ステップＳ１４５にて当該録画予約にて指定された録画開始時刻になったかどうかが判定される。
【００３４】
ステップＳ１４５にて、予約された録画開始時刻となった場合には、ステップＳ１５２にてビデオユニット２４を駆動させ録画を開始させる。チューナ２２やデジタル再生回路２３は予め立ち上げられているため、ビデオユニット２４を駆動させ、即座に録画を開始させることができる。録画を開始させた直後のステップＳ１５５にて、再度、確認部Ｐ２が仮想チャンネルの確認を行う。具体的には、ステップＳ１２０と同様に、デジタル再生回路２３にて放送信号から映像信号や音声信号の復元させる際に、トランポートストリームからＳＤＴを取得し、同ＳＤＴに格納された仮想チャンネルの番号を取得する。そして、同取得した仮想チャンネルの番号と、当該録画予約にて指定されている仮想チャンネルの番号との比較を行い、その一致性を確認する。
【００３５】
仮想チャンネルの番号が一致する場合には、ステップＳ１６０にて録画をそのまま継続させる。一方、仮想チャンネルの番号が一致しない場合には、ステップＳ１２５と同様に、ステップＳ１８０にて検索部Ｐ３が当該録画予約にて指定されている仮想チャンネルの検索を行う。ステップＳ１８５においては、ステップＳ１３０と同様に上記チャンネル検索において、当該録画予約の仮想チャンネル番号と一致する物理チャンネルが検索できたかどうかが判定され、検索できた場合には録画部Ｐ５がステップＳ１９０にて検索された物理チャンネルの選局をチューナ２２にて開始させる。一方、検索できなかった場合には録画部Ｐ５がステップＳ１９５にてステップＳ１１０で特定した物理チャンネルの選局をチューナ２２にて開始させる。これに伴い、デジタル再生回路２３も映像信号や音声信号の復元を再び開始させる。ステップＳ１９０またはステップＳ１９５にてチューナ２２が選局を開始すると、すでに当該録画予約にて指定された録画予約時刻が経過しているため、ステップＳ１６０では、すぐにビデオユニット２４を駆動させ録画を開始させる。
【００３６】
以上説明したように、確認部Ｐ２は録画開始時刻の１０秒前にて実際に受信されている放送信号の仮想チャンネルと、録画予約にて指定された仮想チャンネルの一致性を確認している。そして、仮想チャンネルが一致しない場合には、検索部Ｐ３が録画予約にて指定された仮想チャンネルが受信可能な物理チャンネルを検索し、録画部Ｐ５が検索された物理チャンネルにて録画を行うようにしている。このようにすることにより、選局データ２８ｄ１にて物理チャンネルと仮想チャンネルとの対応関係が作成されたとき、すなわち最後にチャンネルプリセットを行ったときから、録画開始時刻の１０秒前までに当該仮想チャンネルが放送される搬送周波数帯域が変更された場合でも、使用者が指定した仮想チャンネルの録画を行うことができる。なお、仮想チャンネルは録画予約にて直接指定されるものに限られず、例えばＧコードのように間接的に仮想チャンネルの番号が指定されるものであってもよい。
【００３７】
さらに、確認部Ｐ２は、録画開始時刻の１０秒前と、録画開始時刻経過後の双方において、実際に受信されている放送信号の仮想チャンネルと、録画予約にて指定された仮想チャンネルの一致性を確認している。録画開始時刻の１０秒前のみ確認を行っておけば十分とも考えられるが、録画開始時刻の１０秒前から録画開始時刻が経過するまでの間に、当該仮想チャンネルが放送される搬送周波数帯域が変更される場合があるため、録画開始時刻の経過直後においても仮想チャンネルの一致性を確認する必要がある。特に、番組の始めから録画をする場合には、直前にて搬送周波数帯域が変更される可能性が高いため、録画開始時刻経過後にて仮想チャンネルの一致性を確認することの意義は大きい。
【００３８】
また、録画予約にて指定された仮想チャンネルが受信できる物理チャンネルが検出できない場合には、ステップＳ１４０，Ｓ１９５にて選局データ２８ｄ１における物理チャンネルと仮想チャンネルとの対応関係に基づいて特定した物理チャンネルをチューナ２２にて選局させ、録画するようにしている。この場合、予めチャンネルプリセットによって作成された選局データ２８ｄ１における仮想チャンネルと物理チャンネルとの対応関係を優先させて、録画を行わせることができる。
【００３９】
ステップＳ１６０においていずれかの物理チャンネルをチューナ２２にて選局し録画を開始させると、ステップＳ１７０において録画予約にて指定された録画終了時刻が経過したかどうかが判定される。そして、タイマ２８ｆから取得した現在の時刻が録画終了時刻を経過した場合には、録画を終了させ、各部の電源を順次遮断していく。録画終了時刻が経過していない場合には、ステップＳ１７５にて現在の時刻の分の下１桁目が０であるかどうかが確認される。すなわち、現在の時刻が００，１０，２０，３０，４０，５０分となっているかどうかが確認される。そして、上記の分となっている場合には、ステップＳ１５５を再度実行させ、仮想チャンネルの一致性を確認する。
【００４０】
言い換えれば、ステップＳ１５５における仮想チャンネルの一致性の確認は、録画実行中において１０分ごとの一定期間ごとに行われることとなる。このようにすることにより、一定期間ごとに仮想チャンネルの一致性の確認をすることができ、この一定期間以上継続して誤ったチャンネルが録画されることが防止できる。また、通常の放送番組の切り替えは、００，１０，２０，３０，４０，５０分といった、きりのよい時刻に行われる場合が多い。さらに、仮想チャンネルを割り当てる搬送周波数帯域の変更も放送番組の切り替えに連動させたタイミングで行われることが多いため、放送番組の切り替え時であると予想される００，１０，２０，３０，４０，５０分に確認をすることにより、効率よく搬送周波数帯域の変更を監視することができる。
【００４１】
ステップＳ１８０においては、録画開始後にチャンネルの検索が行われることとなる。このときチューナ２２はチャンネルの検索に使用されるため、デジタル再生回路２３に一定の放送信号を供給することができない。すなわち、録画を行っていても、正常な映像を記録することはできなくなる。この状態は、ステップＳ１９０，Ｓ１９５にて、チューナ２２がいずれかの物理チャンネルで選局を開始するまで継続することとなる。従って、ステップＳ１８０からステップＳ１９０，Ｓ１９５においては、ビデオテープが無駄に消費されることとなる。
【００４２】
そこで、中継部Ｐ４は、ステップＳ１８０からステップＳ１９０，Ｓ１９５の間に、中継処理を行うことにより、ビデオテープが無駄に消費されないようにしている。図６は、中継処理の流れを示している。同図において、ステップＳ２００においては、ステップＳ１８０におけるチャンネル検索が開始されたかどうかを監視する。そして、チャンネル検索が開始された場合には、ステップＳ２１０にて、ＯＳＤデータ２８ｄ２を取得し、同ＯＳＤデータ２８ｄ２をＭＰＥＧデコーダ２３ｇのＯＳＤ処理部２３ｈに出力する。そして、ＯＳＤ処理部２３ｈがＯＳＤデータ２８ｄ２をビデオユニット２４の変換部２４ｃを介してヘッド２４ｂに出力することにより、ビデオテープにＯＳＤデータ２８ｄ２に基づく映像を録画させる。
【００４３】
図７は、このとき録画されるＯＳＤ画像の一例を示している。同図においては、録画予約にて指定された上記仮想チャンネルの検索中である旨が表示されている。このような映像を録画することにより、使用者が再生を行ったときに、故障でないことを認識させることができる。また、中継部Ｐ４は、ＯＳＤデータ２８ｄ２を出力するとともに、ビデオユニット２４のテープ駆動系２４ａとヘッド２４ｂと変換部２４ｃに対して６倍で録画を行うように指令を出す。６倍で録画を行うと、テープ駆動系２４ａは１／６の速度でビデオテープを駆動させることとなり、録画の画質は低下するものの、単位時間当たりのビデオテープの記憶量は抑えることができる。
【００４４】
以上のようにステップＳ２１０を実行すると、ステップＳ２２０にてチューナ２２が特定のチャンネルの選局を行ったかどうかが判定される。すなわち、ステップＳ１９０，Ｓ１９５のいずれかが実行されたかどうかが判定される。そして、ステップＳ１９０，Ｓ１９５が実行されるまで、ステップＳ２１０によるＯＳＤ画像の６倍録画が継続されることとなる。一方、チューナ２２がステップＳ１９０，Ｓ１９５にていずれかの物理チャンネルの選局を行った場合には、ステップＳ２３０にて、ＯＳＤデータ２８ｄ２の出力を停止させるとともに、録画速度を録画予約にて指定された速度に戻す。これにより、チューナ２２がチャンネル検索を開始し、同チャンネル検索によって検索された物理チャンネルをチューナ２２にて選局させるまでの間に限り、録画の品質が低下するもののビデオテープの消費量を抑えることができる。
【００４５】
なお、本実施形態においてはビデオテープに録画を行うこととしたが、本発明のデジタル放送録画装置としてＤＶＤレコーダやＨＤＤレコーダを適用してもよい。ＤＶＤレコーダやＨＤＤレコーダの場合、ステップＳ２１０にて圧縮率を高めたり、フレームレートを下げたりすることにより、記録媒体の消費を抑えることができる。
【００４６】
（３）まとめ：
以上説明したように、本発明において、録画開始時刻の１０秒前と、録画開始時刻経過後の双方において、実際に受信されている放送信号の仮想チャンネルと、録画予約にて指定された仮想チャンネルの一致性を確認する。そして、仮想チャンネルが一致しない場合には、検索部Ｐ３が録画予約にて指定された仮想チャンネルが受信可能な物理チャンネルを検索し、録画部Ｐ５が検索された物理チャンネルにて録画を行う。このようにすることにより、録画開始時刻の経過前のみならず録画開始時刻の経過直後に仮想チャンネルの搬送周波数帯域が変更されても、録画予約にて指定された仮想チャンネルの録画を行うことができる。
【００４７】
上述した実施形態に対応する請求項１にかかる発明では、チューナ２２が選局する搬送周波数に対応する物理チャンネルと、録画予約の際に指定される仮想チャンネルとの対応関係を規定したチャンネル対応テーブル２８ｄ１と、上記チャンネル対応テーブル２８ｄ１を参照して上記録画予約にて指定された上記仮想チャンネルに対応する上記物理チャンネルを特定する特定手段Ｐ１と、上記特定手段Ｐ１にて特定された上記物理チャンネルを上記チューナ２２にて選局させて録画を行う録画手段Ｐ５とを具備するデジタル放送録画装置１において、
上記録画手段Ｐ５が録画を開始した直後と、上記録画手段Ｐ５が録画を行っている際の一定期間（例えば、００，１０，２０，３０，４０，５０分）ごとと、上記録画手段Ｐ５が録画を行っている番組の切り替わり時（例えば、００，１０，２０，３０，４０，５０分）に、上記チューナ２２が選局している上記仮想チャンネルが上記録画予約にて指定された上記仮想チャンネルと一致しているかどうかを確認する確認手段Ｐ２と、上記確認手段Ｐ２にて、上記チューナ２２が選局している上記仮想チャンネルが上記録画予約にて指定された上記仮想チャンネルと一致していないことが確認されたとき、上記録画予約にて指定された上記仮想チャンネルが受信可能な上記物理チャンネルを検索する検索手段Ｐ３と、上記検索手段Ｐ３が上記録画予約にて指定された上記仮想チャンネルが受信可能な上記物理チャンネルを検索し、上記録画手段Ｐ５が上記検索手段Ｐ３にて検索された上記物理チャンネルを上記チューナ２２にて選局させるまでの間、予め記憶され上記録画予約にて指定された上記仮想チャンネルの検索中である旨が表示された映像データ２８ｄ２を上記録画手段Ｐ５にて録画させるとともに、記録媒体の消費を低減させるように録画の品質を低下させる中継手段Ｐ４とを具備するとともに、上記録画手段Ｐ５は、上記録画予約にて指定された上記仮想チャンネルが受信可能な上記物理チャンネルが上記検索手段Ｐ３にて検索されたとき上記検索手段Ｐ３にて検索された上記物理チャンネルを上記チューナ２２にて選局させて録画を行い、上記録画予約にて指定された上記仮想チャンネルが受信可能な上記物理チャンネルが検索されないとき上記チャンネル対応テーブル２８ｄ１によって特定した上記物理チャンネルを上記チューナ２２にて選局させて録画を行う構成としてある。
【００４８】
また、請求項２にかかる発明では、チューナ２２が選局する搬送周波数に対応する物理チャンネルと、録画予約の際に指定される仮想チャンネルとの対応関係を規定したチャンネル対応テーブル２８ｄ１と、上記チャンネル対応テーブル２８ｄを参照して上記録画予約にて指定された上記仮想チャンネルに対応する上記物理チャンネルを特定する特定手段Ｐ１と、上記特定手段Ｐ１にて特定された上記物理チャンネルを上記チューナ２２にて選局させて録画を行う録画手段Ｐ５とを具備するデジタル放送録画装置１において、
上記録画手段Ｐ５が録画を行っているときに、上記チューナ２２が選局している上記仮想チャンネルが上記録画予約にて指定された上記仮想チャンネルと一致しているかどうかを確認する確認手段Ｐ２と、上記確認手段Ｐ２にて、上記チューナが選局している上記仮想チャンネルが上記録画予約にて指定された上記仮想チャンネルと一致していないことが確認されたとき、上記録画予約にて指定された上記仮想チャンネルが受信可能な上記物理チャンネルを検索する検索手段Ｐ３とを具備するとともに、上記録画手段Ｐ５は、上記検索手段Ｐ３にて検索された上記物理チャンネルを上記チューナ２２にて選局させて録画を行う構成としてある。
【００４９】
上記のように構成した請求項２の発明において、デジタル放送録画装置１が扱うチャンネルには、チューナ２２が選局する搬送周波数に対応する物理チャンネルと、録画予約の際に指定される仮想チャンネルとがある。物理チャンネルは搬送周波数と一体不可分の関係にあり、物理チャンネルと搬送周波数との対応関係が変更されることはない。一方、仮想チャンネルは使用者が扱うチャンネルであり、録画予約の際にも仮想チャンネルで録画するチャンネルが指定される。上記物理チャンネルと上記仮想チャンネルとの対応関係を規定したチャンネル対応テーブル２８ｄ１を備えることにより、上記仮想チャンネルから対応する上記物理チャンネルを特定し、さらに同特定された物理チャンネルに対応する搬送周波数を特定することができる。従って、特定手段Ｐ１では上記チャンネル対応テーブル２８ｄ１を参照して上記録画予約にて指定された上記仮想チャンネルに対応する上記物理チャンネルを特定することができ、録画手段Ｐ５においては同特定手段Ｐ１にて特定された同物理チャンネルを上記チューナ２２にて選局させて録画を行うことができる。すなわち、使用者が録画予約した上記仮想チャンネルについて録画を行うことができる。
【００５０】
確認手段Ｐ２は上記録画手段Ｐ５が録画を行っているときに、上記チューナ２２が選局している上記仮想チャンネルが上記録画予約にて指定された上記仮想チャンネルと一致しているかどうかを確認する。すなわち、上記確認手段Ｐ２は、上記録画予約を行った際と、実際に録画を行う際とで、上記録画予約にて指定された上記仮想チャンネルに対する上記物理チャンネルの割り当てが変更されていないかどうかを確認する。そして、検索手段Ｐ３は、上記確認手段Ｐ２が上記チューナ２２の選局している上記仮想チャンネルが上記録画予約にて指定された上記仮想チャンネルと一致していないと判定したとき、上記録画予約にて指定された上記仮想チャンネルが受信可能な上記物理チャンネルを検索する。さらに、上記録画手段Ｐ５は、上記検索手段Ｐ３にて検索された上記物理チャンネルを上記チューナ２２にて選局させて録画を行うため、上記録画予約において指定された上記仮想チャンネルを録画することができる。
【００５１】
また、請求項３にかかる発明では、上記確認手段Ｐ２は、上記録画手段Ｐ５が録画を開始した直後に上記仮想チャンネルの一致性を確認する構成としてある。
上記のように構成した請求項３の発明において、上記録画手段Ｐ５が録画を開始した直後に上記仮想チャンネルの一致性が確認されるため、録画開始時や録画開始直後に上記仮想チャンネルの割り当てが変更されても対応することができる。
【００５２】
また、請求項４にかかる発明では、上記確認手段Ｐ２は、上記録画手段Ｐ５が録画を行っている際の一定期間ごと（例えば、００，１０，２０，３０，４０，５０分）に上記仮想チャンネルの一致性を確認する構成としてある。
上記のように構成した請求項４の発明において、一定期間ごと（例えば、００，１０，２０，３０，４０，５０分）に上記仮想チャンネルの一致性が確認されるため、長期間にわたって誤ったチャンネルが録画されることが防止できる。
【００５３】
さらに、請求項５にかかる発明では、上記確認手段Ｐ２は、上記録画手段Ｐ５が録画を行っている番組の切り替わり時（例えば、００，１０，２０，３０，４０，５０分）に上記仮想チャンネルの一致性を確認する構成としてある。
上記のように構成した請求項５の発明において、仮想チャンネルを割り当てる搬送周波数帯域の変更も放送番組の切り替えに連動させたタイミングで行われることが多いため、放送番組の切り替え時であると予想される時（例えば、００，１０，２０，３０，４０，５０分）に確認をすることにより、効率よく搬送周波数帯域の変更を監視することができる。
【００５４】
また、請求項６にかかる発明では、上記検索手段Ｐ３が上記録画予約にて指定された上記仮想チャンネルが受信可能な上記物理チャンネルを検索し、上記録画手段Ｐ５が上記検索手段Ｐ３にて検索された上記物理チャンネルを上記チューナ２２にて選局させるまでの間、上記録画手段Ｐ５における録画状態を変更する中継手段を具備する構成としてある。
【００５５】
上記のように構成した請求項６の発明において、上記検索手段Ｐ３が上記録画予約にて指定された上記仮想チャンネルが受信可能な上記物理チャンネルを検索し、上記録画手段Ｐ５が上記検索手段Ｐ３にて検索された上記物理チャンネルを上記チューナ２２にて選局させるまでの間は、同チューナ２２は一定の搬送周波数にて選局を行うことができず、正常な映像を録画することができない。従って、この期間においては上記録画手段Ｐ５における録画状態を変更する。
【００５６】
さらに、請求項７にかかる発明では、上記中継手段Ｐ４は、予め記憶しておいた映像データ２８ｄ２を上記録画手段Ｐ５にて録画させる構成としてある。
上記のように構成した請求項７において、正常な映像を録画することができない期間において、予め記憶しておいた映像データ２８ｄ２を上記録画手段Ｐ５にて録画させることにより、乱れた映像が録画されることが防止できる。また、録画機構を停止させたり一時停止させたりする必要がないため、録画機構の故障や摩耗を抑制することができる。
【００５７】
また、請求項８にかかる発明では、上記映像データ２８ｄ２においては、上記録画予約にて指定された上記仮想チャンネルの検索中である旨が表示される構成としてある。
上記のように構成した請求項８の発明において、上記仮想チャンネルの検索中である旨を表示する映像を録画することにより、使用者が再生を行ったときに、故障でないことを認識させることができる。
【００５８】
さらに、請求項９にかかる発明では、上記中継手段Ｐ４は、予め記憶しておいた映像データ２８ｄ１を上記録画手段Ｐ５にて録画させる際に、記録媒体の消費を低減させるように録画の品質を低下させる構成としてある。
上記のように構成した請求項９の発明において、上記中継手段Ｐ４が予め記憶しておいた映像データ２８ｄ１を上記録画手段Ｐ５にて録画させる場合、録画の品質は要求されないため、記録媒体の消費を低減させることを優先させる。
【００５９】
また、請求項１０にかかる発明では、上記録画手段Ｐ５は、上記録画予約にて指定された上記仮想チャンネルが受信可能な上記物理チャンネルが上記検索手段Ｐ３にて検索されないとき、上記チャンネル対応テーブル２８ｄ１によって特定した上記物理チャンネルを上記チューナにて選局させて録画を行う構成としてある。
上記のように構成した請求項１０の発明において、上記録画予約にて指定された上記仮想チャンネルが受信可能な上記物理チャンネルが上記検索手段Ｐ３にて検索されない場合、予めチャンネルプリセットによって作成された上記チャンネル対応テーブル２８ｄ１における仮想チャンネルと物理チャンネルとの対応関係を優先させて、録画を行わせることができる。
【図面の簡単な説明】
【００６０】
【図１】ビデオレコーダの概略構成図である。
【図２】選局データを示す表である。
【図３】予約データを示す表である。
【図４】制御プログラムのモジュール構成を示すブロック図である。
【図５】録画処理のフローチャートである。
【図６】中継処理のフローチャートである。
【図７】ＯＳＤ画像を示す図である。
【符号の説明】
【００６１】
１０…アンテナ
２０…ビデオレコーダ
２２…チューナ
２３…デジタル再生回路
２４…ビデオユニット
２８ａ…ＣＰＵ
２８ｂ…ＲＡＭ
２８ｃ…ＲＯＭ
２８ｄ…ＥＥＰＲＯＭ
２８ｄ１…選局データ
２８ｄ２…ＯＳＤデータ
２８ｄ３…予約データ
２８ｆ…タイマ
３０…テレビジョン
Ｐ…制御プログラム
Ｐ１…特定部
Ｐ２…確認部
Ｐ３…検索部
Ｐ４…中継部
Ｐ５…録画部
【図１】
2007104126.tif 000003
【図２】
2007104126.tif 000004
【図３】
2007104126.tif 000005
【図４】
2007104126.tif 000006
【図５】
2007104126.tif 000007
【図６】
2007104126.tif 000008
【図７】
2007104126.tif 000009